(57)【要約】【課題】  放送を視聴している時に携帯電話の着信があった場合でも、あるいは放送を視聴している時に携帯電話の発信をする場合でも、放送を継続して、かつ集中して視聴することができる通信端末装置を提供する。【解決手段】  通信端末装置１は、無線基地局２との間で送信および受信を行なう無線通信部（無線通信手段）３と、放送基地局４からの放送を受信する放送受信部（放送受信手段）５と、放送基地局４から受信した放送を記録する放送記録部（放送記録手段）６と、再生スイッチ７とを備える。無線通信部３は、無線基地局２との通信の有無を表す通信有無信号９を、放送記録部６に出力する。放送受信部５は、放送基地局４から受信した放送信号１０を、放送記録部６に出力する。放送記録部６は、放送受信部５による放送基地局４からの放送の受信中に通信有無信号９により通信の開始を検知した時に、半導体メモリ８への放送信号１０の記録を開始する。【選択図】  図１
2005086526.tif 000002
【特許請求の範囲】
【請求項１】
無線基地局と通信を行なう無線通信手段と、
放送基地局からの放送を受信する放送受信手段とを備える通信端末装置において、
前記放送受信手段によって受信された放送の内容を記録する放送記録手段を備え、
前記放送記録手段は、前記放送受信手段による放送基地局からの放送の受信中における前記無線通信手段による無線基地局との通信の開始を検知して、受信中の放送の内容の記録を開始することを特徴とする、通信端末装置。
【請求項２】
無線基地局と通信を行なう無線通信手段と、
放送基地局からの放送を受信する放送受信手段とを備える通信端末装置において、
前記放送受信手段によって受信された放送の内容を記録する放送記録手段と、
時刻を記録する時刻記録手段とを備え、
前記放送記録手段は、前記放送受信手段による放送基地局からの放送の受信の開始を検知して、受信中の放送の内容の記録を開始し、
前記時刻記録手段は、前記放送受信手段による放送基地局からの放送の受信中における前記無線通信手段による無線基地局との通信の開始を検知して、通信を開始した時刻を記録することを特徴とする、通信端末装置。
【請求項３】
無線基地局と通信を行なう無線通信手段と、
放送基地局からの放送を受信する放送受信手段とを備える通信端末装置において、
前記放送受信手段によって受信された放送の内容を記録する放送記録手段と、
時刻を記録する時刻記録手段とを備え、
前記放送記録手段は、前記放送受信手段による放送基地局からの放送の受信中における通信端末装置の使用者の指示に応じて、受信中の放送の内容の記録を開始し、
前記時刻記録手段は、前記放送受信手段による放送基地局からの放送の受信中における前記無線通信手段による無線基地局との通信の開始を検知して、通信を開始した時刻を記録することを特徴とする、通信端末装置。
【請求項４】
前記無線基地局との通信の開始の検知は、無線基地局からの通信の着信に基づくことを特徴とする、請求項１ないし３のいずれか１項に記載の通信端末装置。
【請求項５】
前記無線基地局との通信の開始の検知は、無線基地局からの通信の着信に対する使用者の応答に基づくことを特徴とする、請求項１ないし３のいずれか１項に記載の通信端末装置。
【請求項６】
前記無線基地局との通信の開始の検知は、無線基地局への通信の発信に基づくことを特徴とする、請求項１ないし３のいずれか１項に記載の通信端末装置。
【請求項７】
前記放送記録手段は、使用者の指示があった時に、記録した放送を再生する機能を有することを特徴とする、請求項１ないし３のいずれか１項に記載の通信端末装置。
【請求項８】
前記放送記録手段は、記録した放送のうち、前記時刻記録手段で記録した時刻に記録した放送から再生を開始することを特徴とする、請求項２または３に記載の通信端末装置。
【請求項９】
前記放送記録手段は、記録した放送のうち、前記時刻記録手段で記録した時刻から所定時間遡った時刻に記録した放送から再生を開始することを特徴とする、請求項２または３に記載の通信端末装置。
【請求項１０】
前記放送記録手段は、使用者が前記所定時間を設定する機能を有することを特徴とする、請求項９に記載の通信端末装置。
【請求項１１】
前記放送記録手段は、記録した放送を記録速度よりも速い速度で再生する機能を有することを特徴とする、請求項１ないし３のいずれか１項に記載の通信端末装置。
【請求項１２】
前記放送記録手段は、放送の記録と再生とを同時に行なう機能を有することを特徴とする、請求項１ないし３のいずれか１項に記載の通信端末装置。
【請求項１３】
前記放送記録手段は、半導体メモリを有することを特徴とする、請求項１２に記載の通信端末装置。
【請求項１４】
前記半導体メモリは、不揮発性メモリであることを特徴とする、請求項１３に記載の通信端末装置。
【請求項１５】
前記不揮発性メモリは、通信端末装置の外部に取り出すことが可能であることを特徴とする、請求項１４に記載の通信端末装置。
【請求項１６】
前記放送記録手段は、ハードディスク装置を有することを特徴とする、請求項１２に記載の通信端末装置。
【請求項１７】
前記ハードディスク装置は、通信端末装置の外部に取り出すことが可能であることを特徴とする、請求項１６に記載の通信端末装置。
【請求項１８】
前記放送記録手段が放送を記録していることを表示する手段を有することを特徴とする、請求項１ないし３のいずれか１項に記載の通信端末装置。
【請求項１９】
前記放送記録手段が放送を記録できる残り容量を表示する手段を有することを特徴とする、請求項１ないし３のいずれか１項に記載の通信端末装置。
【発明の詳細な説明】
【技術分野】
【０００１】
この本発明は、無線通信手段と放送受信手段とを備える通信端末装置に関するものであり、特に、地上デジタルテレビを内蔵した携帯電話およびこれを含む携帯電話通信システムに関する。
【背景技術】
【０００２】
近年、携帯電話は、従来の通話機能だけではなく、電子メール機能やインターネット閲覧機能などが付加され、広く普及している。一方、現在日本国内で視聴されている地上波アナログ放送に代わる新しい放送として、２００３年より地上デジタルテレビ放送が開始される予定になっている。
【０００３】
この地上デジタルテレビ放送の技術規格ＩＳＤＢ−Ｔ（Integrated Services Digital Broadcasting）では、変調方式に多数の搬送波（キャリア）を使うＯＦＤＭ（Orthogonal Frequency Division Multiplexing）が採用され、ビルによる反射など複数の伝播経路（マルチパス）によるゴースト妨害も抑制が可能となる。また、ＩＳＤＢ−Ｔではキャリア間隔を規定する伝送モードやキャリアごとの変調方式、有効シンボル長ごとに設ける時間軸方向のガードインターバルがそれぞれ複数規定されており、極めて多数の信号形式が規格の上では許容されている。実際にはこれらの中から、固定受信や移動受信などのサービスに応じて最適な形式が選択されることになる。また、ＩＳＤＢ−Ｔでは１つのチャンネル（帯域約５．６ＭＨｚ）を１３セグメント（１セグメント＝約４３０ＫＨｚ）に分割し、これを単位に変調方式を変えることになる。これによって、１つのチャンネルで音声放送とハイビジョン放送、標準固定放送と移動体放送といったように、放送局は任意に信号構成を決定することができる。さらに、ＩＳＤＢ−Ｔは時間軸方向のインターリブを取入れており、利用する電波も移動体への伝送に適していることから、車載テレビなどの移動体受信機やＰＤＡ（Personal Digital Assistants）や携帯電話などの携帯端末でも安定した受信が可能となることが大きな特徴の１つとして挙げられる。
【０００４】
以上のことから、近年、携帯電話と地上デジタルテレビ放送とを結び付けた通信・放送融合サービスが期待されている。具体的には、地上デジタルテレビ内蔵の携帯電話上で地上デジタルテレビ放送を視聴し、テレビ放送に関連する情報を通信を介して取得できるようなサービスが提案されている。
【０００５】
また一方、携帯電話上で放送を視聴するものではないが、テレビやラジオ等の放送端末で放送を視聴時に携帯電話がかかってきた場合に放送を記録する方法が提案されている（例えば特許文献１参照。）。
【特許文献１】特開２００２−７７３２３号公報（公開日２００２年３月１５日）
【発明の開示】
【発明が解決しようとする課題】
【０００６】
携帯電話上で放送を視聴する際には、以下のような問題がある。
【０００７】
携帯電話上で放送を視聴している時に携帯電話の着信があった場合、使用者は、携帯電話の着信音が鳴った時から電話に気を取られて放送を集中して視聴することができなくなる。一般的に使用者は携帯電話を耳にあてて通話するので、通話中は携帯電話の表示画面が見えず、放送を継続して視聴することができない。使用者がイヤホンマイク等を用いて携帯電話を耳にあてずに通話する場合、通話中でも携帯電話の表示画面が見えるが、通話に気を取られて放送を集中して視聴することができない。
【０００８】
また、携帯電話上で放送を視聴している時に携帯電話の発信をする場合、一般的に使用者は携帯電話を耳にあてて通話するので、通話中は携帯電話の表示画面が見えず、放送を継続して視聴することができない。使用者がイヤホンマイク等を用いて携帯電話を耳にあてずに通話する場合、通話中でも携帯電話の表示画面が見えるが、通話に気を取られて放送を集中して視聴することができない。
【０００９】
本発明はこれらの問題に鑑みてなされたものであり、放送を視聴している時に携帯電話の着信があった場合でも、あるいは放送を視聴している時に携帯電話の発信をする場合でも、放送を継続して、かつ集中して視聴することができる通信端末装置を提供することを目的とする。
【課題を解決するための手段】
【００１０】
上記目的を達成するために、本発明のある局面に従うと、通信端末装置は、無線基地局と通信を行なう無線通信手段と、放送基地局からの放送を受信する放送受信手段とを備える通信端末装置において、前記放送受信手段によって受信された放送の内容を記録する放送記録手段を備え、前記放送記録手段は、前記放送受信手段による放送基地局からの放送の受信中における前記無線通信手段による無線基地局との通信の開始を検知して、受信中の放送の内容の記録を開始することを特徴とする。
【００１１】
上記構成によれば、放送記録手段は、放送受信手段による放送基地局からの放送の受信中における無線通信手段による無線基地局との通信の開始を検知して受信中の放送の内容の記録を開始するので、通信端末装置の使用者が放送を視聴している時に無線通信手段の着信があった場合、あるいは通信端末装置の使用者が放送を視聴している時に無線通信手段の発信をする場合、通信開始時以降の受信中の放送内容の記録が自動的に行なわれる。よって、通信端末装置の使用者は、無線基地局との通信により放送の視聴が中断された場合でも、通信終了後に、放送記録手段により通信開始時以降に記録された放送を再生することにより、放送を継続して、かつ集中して視聴することができる。通信端末装置が、たとえば地上デジタルテレビ内蔵の携帯電話である場合、放送を視聴している時に携帯電話の着信があったときでも、あるいは放送を視聴している時に携帯電話の発信をするときでも、放送を継続して、かつ集中して視聴することができる。
【００１２】
また、本発明の別の局面に従うと、通信端末装置は、無線基地局と通信を行なう無線通信手段と、放送基地局からの放送を受信する放送受信手段とを備える通信端末装置において、前記放送受信手段によって受信された放送の内容を記録する放送記録手段と、時刻を記録する時刻記録手段とを備え、前記放送記録手段は、前記放送受信手段による放送基地局からの放送の受信の開始を検知して、受信中の放送の内容の記録を開始し、前記時刻記録手段は、前記放送受信手段による放送基地局からの放送の受信中における前記無線通信手段による無線基地局との通信の開始を検知して、通信を開始した時刻を記録することを特徴とする。
【００１３】
上記構成によれば、放送記録手段は、放送受信手段による放送基地局からの放送の受信の開始を検知して、受信中の放送の内容の記録を開始するので、放送受信開始時以降の受信中の放送内容の記録が自動的に行なわれる。また、時刻記録手段は、放送受信手段による放送基地局からの放送の受信中における無線通信手段による無線基地局との通信の開始を検知して、通信を開始した時刻を記録するので、通信端末装置の使用者が放送を視聴している時に無線通信手段の着信があった場合、あるいは通信端末装置の使用者が放送を視聴している時に無線通信手段の発信をする場合、通信開始時刻の記録が自動的に行われる。よって、通信端末装置の使用者は、無線基地局との通信により放送の視聴が中断された場合でも、通信終了後に、放送記録手段により放送受信開始時以降に記録された放送の中から所望の放送を通信開始時刻に基づいて選択して再生することにより、放送を継続して、かつ集中して視聴することができる。通信端末装置が、たとえば地上デジタルテレビ内蔵の携帯電話である場合、放送を視聴している時に携帯電話の着信があったときでも、あるいは放送を視聴している時に携帯電話の発信をするときでも、放送を継続して、かつ集中して視聴することができる
また、本発明の別の局面に従うと、通信端末装置は、無線基地局と通信を行なう無線通信手段と、放送基地局からの放送を受信する放送受信手段とを備える通信端末装置において、前記放送受信手段によって受信された放送の内容を記録する放送記録手段と、時刻を記録する時刻記録手段とを備え、前記放送記録手段は、前記放送受信手段による放送基地局からの放送の受信中における通信端末装置の使用者の指示に応じて、受信中の放送の内容の記録を開始し、前記時刻記録手段は、前記放送受信手段による放送基地局からの放送の受信中における前記無線通信手段による無線基地局との通信の開始を検知して、通信を開始した時刻を記録することを特徴とする。
【００１４】
上記構成によれば、放送記録手段は、放送受信手段による放送基地局からの放送の受信中における通信端末装置の使用者の指示に応じて、受信中の放送の内容の記録を開始するので、使用者の指示時以降の受信中の放送内容の記録が行なわれる。また、時刻記録手段は、放送受信手段による放送基地局からの放送の受信中における無線通信手段による無線基地局との通信の開始を検知して、通信を開始した時刻を記録するので、通信端末装置の使用者が放送を視聴している時に無線通信手段の着信があった場合、あるいは通信端末装置の使用者が放送を視聴している時に無線通信手段の発信をする場合、通信開始時刻の記録が自動的に行われる。よって、通信端末装置の使用者は、無線基地局との通信により放送の視聴が中断された場合でも、通信終了後に、放送記録手段により使用者の指示時以降に記録された放送の中から所望の放送を通信開始時刻に基づいて選択して再生することにより、放送を継続して、かつ集中して視聴することができる。通信端末装置が、たとえば地上デジタルテレビ内蔵の携帯電話である場合、放送を視聴している時に携帯電話の着信があったときでも、あるいは放送を視聴している時に携帯電話の発信をするときでも、放送を継続して、かつ集中して視聴することができる。この場合、放送内容の記録は使用者の指示により行われるので、使用者にとって不要な放送内容の記録を省くことができる。
【００１５】
また、上述の無線基地局との通信の開始の検知は、無線基地局からの通信の着信に基づくとよい。
【００１６】
上記構成によれば、無線基地局からの通信の着信時点からの放送の内容の記録、あるいはこの時点の時刻の記録が行われる。よって、着信により使用者が通信に気を取られた時点からの放送を再生することができる。
【００１７】
また、上述の無線基地局との通信の開始の検知は、無線基地局からの通信の着信に対する使用者の応答に基づいてもよい。
【００１８】
上記構成によれば、無線基地局からの通信の着信に対する使用者の応答時点からの放送の内容の記録、あるいはこの時点の時刻の記録が行われる。よって、放送の記録を開始する時刻または記録する時刻を使用者の好みのタイミングに合わせることができる。たとえば、きりのよい放送内容まで視聴した時点で着信に応答すれば、後にきりのよいところからの放送を再生することができる。
【００１９】
また、上述の無線基地局との通信の開始の検知は、無線基地局への通信の発信に基づいてもよい。
【００２０】
上記構成によれば、無線基地局への通信の発信時点からの放送の内容の記録、あるいはこの時点の時刻の記録が行われる。よって、放送の記録を開始する時刻または記録する時刻を使用者の好みのタイミングに合わせることができる。たとえば、きりのよい放送内容まで視聴した時点で発信すれば、後にきりのよいところからの放送を再生することができる。
【００２１】
また、上述の放送記録手段は、使用者の指示があった時に、記録した放送を再生する機能を有することが望ましい。
【００２２】
上記構成によれば、使用者は記録した放送を好みのタイミングで再生して視聴することができる。
【００２３】
また、上述の放送記録手段は、記録した放送のうち、時刻記録手段で記録した時刻に記録した放送から再生を開始するとよい。
【００２４】
上記構成によれば、放送記録手段により放送受信開始時以降または使用者の指示時以降に記録された放送の中から通信開始時刻以降に記録された放送を選択して再生することができる。よって、通信端末装置の使用者は、無線基地局との通信により視聴が中断された放送を、通信終了後に継続して視聴しやすくなる。
【００２５】
また、上述の放送記録手段は、記録した放送のうち、時刻記録手段で記録した時刻から所定時間遡った時刻に記録した放送から再生を開始してもよい。
【００２６】
上記構成によれば、放送記録手段により放送受信開始時以降または使用者の指示時以降に記録された放送の中から通信開始時刻から遡った時刻以降に記録された放送を選択して再生することができる。よって、通信端末装置の使用者は、無線基地局との通信により視聴が中断された放送を、通信開始時刻以前の時刻にまで遡って再生することにより、放送の内容の流れを再度確認することができ、放送を集中して視聴することができることができる。
【００２７】
また、上述の放送記録手段は、使用者が前記所定時間を設定する機能を有することが望ましい。
【００２８】
上記構成によれば、通信端末装置の使用者は、記録された放送のうち好みの時点にまで遡って再生を行なうことができ、より放送の内容の流れを確認しやすくなる。
【００２９】
また、上述の放送記録手段は、記録した放送を記録速度よりも速い速度で再生する機能を有することが望ましい。
【００３０】
上記構成によれば、使用者は記録した放送のうち、コマーシャル等の不要部分を記録速度よりも速い速度で再生することにより、再生時間を短縮して効率よく放送を視聴することができる。さらには再生する放送と実時間で放送されている放送との時間差を縮め、放送の記録を停止しても放送の視聴を継続することができる。
【００３１】
また、上述の放送記録手段は、放送の記録と再生を同時に行なう機能を有することが望ましい。
【００３２】
上記構成によれば、放送の再生中に放送されている放送も記録することができ、放送の視聴を継続することができる。
【００３３】
また、上述の放送記録手段は、半導体メモリを有するとよい。
【００３４】
上記構成によれば、放送記録手段を軽く小型にできるので、通信端末装置への内蔵に適する。
【００３５】
また、上述の半導体メモリは、不揮発性メモリであることが望ましい。
【００３６】
上記構成によれば、通信端末装置の電源を切っても放送の記録内容が消えないようにできる。
【００３７】
また、上述の不揮発性メモリは、通信端末装置の外部に取り出すことが可能であることが望ましい。
【００３８】
上記構成によれば、記録した放送を他の通信端末装置などの再生装置で再生することが可能となる。また、一つの不揮発性メモリの容量を越える長時間の放送を記録する場合でも、不揮発性メモリを他の不揮発性メモリに入れ替えることにより、長時間の記録を行なうことができる。
【００３９】
また、上述の放送記録手段は、ハードディスク装置を有してもよい。
【００４０】
上記構成によれば、半導体メモリよりも記録容量が大きいので、より長時間の放送の記録が可能となる。
【００４１】
また、上述のハードディスク装置は、通信端末装置の外部に取り出すことが可能であることが望ましい。
【００４２】
上記構成によれば、記録した放送を他の通信端末装置などの再生装置で再生することが可能となる。また、一つのハードディスク装置の容量を越える長時間の放送を記録する場合でも、ハードディスク装置を他のハードディスク装置に入れ替えることにより、長時間の記録を行なうことができる。
【００４３】
また、上述の放送記録手段が放送を記録していることを表示する手段を有することが望ましい。
【００４４】
上記構成によれば、通信中の放送の記録が正しく行なわれていることを使用者に告知することができる。
【００４５】
また、上述の放送記録手段が放送を記録できる残り容量を表示する手段を有することが望ましい。
【００４６】
上記構成によれば、記録できる残り容量を使用者に告知することができるので、使用者が不揮発性メモリやハードディスク装置を入れ替えるべきタイミングを知ることができ、記録を失敗しないようにできる。
【発明の効果】
【００４７】
以上のように、本発明の通信端末装置は、無線基地局と通信を行なう無線通信手段と、放送基地局からの放送を受信する放送受信手段とを備える通信端末装置において、放送受信手段によって受信された放送の内容を記録する放送記録手段を備え、放送記録手段は、放送受信手段による放送基地局からの放送の受信中における無線通信手段による無線基地局との通信の開始を検知して、受信中の放送の内容の記録を開始する構成である。
【００４８】
これにより、通信端末装置の使用者が放送を視聴している時に無線通信手段の着信があった場合、あるいは通信端末装置の使用者が放送を視聴している時に無線通信手段の発信をする場合、通信開始時以降の受信中の放送内容の記録が自動的に行なわれるので、通信端末装置の使用者は、無線基地局との通信により放送の視聴が中断された場合でも、通信終了後に、放送記録手段により通信開始時以降に記録された放送を再生することにより、放送を継続して、かつ集中して視聴することができるという効果を奏する。
【００４９】
また、本発明の別の局面に従うと、本発明の通信端末装置は、無線基地局と通信を行なう無線通信手段と、放送基地局からの放送を受信する放送受信手段とを備える通信端末装置において、放送受信手段によって受信された放送の内容を記録する放送記録手段と、時刻を記録する時刻記録手段とを備え、放送記録手段は、放送受信手段による放送基地局からの放送の受信の開始を検知して、受信中の放送の内容の記録を開始し、時刻記録手段は、放送受信手段による放送基地局からの放送の受信中における無線通信手段による無線基地局との通信の開始を検知して、通信を開始した時刻を記録する構成である。
【００５０】
これにより、放送受信開始時以降の受信中の放送内容の記録が自動的に行なわれ、通信端末装置の使用者が放送を視聴している時に無線通信手段の着信があった場合、あるいは通信端末装置の使用者が放送を視聴している時に無線通信手段の発信をする場合、通信開始時刻の記録が自動的に行われるので、通信端末装置の使用者は、無線基地局との通信により放送の視聴が中断された場合でも、通信終了後に、放送記録手段により放送受信開始時以降に記録された放送の中から所望の放送を通信開始時刻に基づいて選択して再生することにより、放送を継続して、かつ集中して視聴することができるという効果を奏する。
【００５１】
また、本発明の別の局面に従うと、本発明の通信端末装置は、無線基地局と通信を行なう無線通信手段と、放送基地局からの放送を受信する放送受信手段とを備える通信端末装置において、前記放送受信手段によって受信された放送の内容を記録する放送記録手段と、時刻を記録する時刻記録手段とを備え、前記放送記録手段は、前記放送受信手段による放送基地局からの放送の受信中における通信端末装置の使用者の指示に応じて、受信中の放送の内容の記録を開始し、前記時刻記録手段は、前記放送受信手段による放送基地局からの放送の受信中における前記無線通信手段による無線基地局との通信の開始を検知して、通信を開始した時刻を記録する構成である。
【００５２】
これにより、使用者の指示時以降の受信中の放送内容の記録が行なわれ、通信端末装置の使用者が放送を視聴している時に無線通信手段の着信があった場合、あるいは通信端末装置の使用者が放送を視聴している時に無線通信手段の発信をする場合、通信開始時刻の記録が自動的に行われるので、通信端末装置の使用者は、無線基地局との通信により放送の視聴が中断された場合でも、通信終了後に、放送記録手段により使用者の指示時以降に記録された放送の中から所望の放送を通信開始時刻に基づいて選択して再生することにより、放送を継続して、かつ集中して視聴することができるという効果を奏する。
【００５３】
また、無線基地局との通信の開始の検知が、無線基地局からの通信の着信に基づく構成にすれば、着信により使用者が通信に気を取られた時点からの放送を再生することができるという効果を奏する。
【００５４】
また、無線基地局との通信の開始の検知が、無線基地局からの通信の着信に対する使用者の応答に基づく構成にすれば、放送の記録を開始する時刻または記録する時刻を使用者の好みのタイミングに合わせることができるという効果を奏する。
【００５５】
また、無線基地局との通信の開始の検知が、無線基地局への通信の発信に基づく構成にすれば、放送の記録を開始する時刻または記録する時刻を使用者の好みのタイミングに合わせることができるという効果を奏する。
【００５６】
また、放送記録手段が、使用者の指示があった時に記録した放送を再生する機能を有する構成にすれば、使用者は記録した放送を好みのタイミングで再生して視聴することができるという効果を奏する。
【００５７】
また、放送記録手段が、記録した放送のうち時刻記録手段で記録した時刻に記録した放送から再生を開始する構成にすれば、通信端末装置の使用者は、無線基地局との通信により視聴が中断された放送を、通信終了後に継続して視聴しやすくなるという効果を奏する。
【００５８】
また、放送記録手段が、記録した放送のうち時刻記録手段で記録した時刻から所定時間遡った時刻に記録した放送から再生を開始する構成にすれば、通信端末装置の使用者は、無線基地局との通信により視聴が中断された放送を、通信開始時刻以前の時刻にまで遡って再生することにより、放送の内容の流れを再度確認することができ、放送を集中して視聴することができるという効果を奏する。
【００５９】
また、放送記録手段が、使用者が前記所定時間を設定する機能を有する構成にすれば、通信端末装置の使用者は、記録された放送のうち好みの時点にまで遡って再生を行なうことができ、より放送の内容の流れを確認しやすくなるという効果を奏する。
【００６０】
また、放送記録手段が、記録した放送を記録速度よりも速い速度で再生する機能を有する構成にすれば、使用者は記録した放送のうち、コマーシャル等の不要部分を記録速度よりも速い速度で再生することにより、再生時間を短縮して効率よく放送を視聴することができるという効果を奏する。
【００６１】
また、放送記録手段が、放送の記録と再生を同時に行なう機能を有する構成にすれば、放送の再生中に放送されている放送も記録することができ、放送の視聴を継続することができるという効果を奏する。
【００６２】
また、放送記録手段が、半導体メモリを有する構成にすれば、放送記録手段を軽く小型にできるので、通信端末装置への内蔵に適するという効果を奏する。
【００６３】
また、半導体メモリが、不揮発性メモリである構成にすれば、通信端末装置の電源を切っても放送の記録内容が消えないようにできるという効果を奏する。
【００６４】
また、不揮発性メモリが、通信端末装置の外部に取り出すことが可能である構成にすれば、記録した放送を他の通信端末装置などの再生装置で再生することが可能となるという効果を奏する。
【００６５】
また、放送記録手段が、ハードディスク装置を有する構成にすれば、半導体メモリよりも記録容量が大きいので、より長時間の放送の記録が可能となるという効果を奏する。
【００６６】
また、ハードディスク装置が、通信端末装置の外部に取り出すことが可能である構成にすれば、記録した放送を他の通信端末装置などの再生装置で再生することが可能となるという効果を奏する。
【００６７】
また、放送記録手段が放送を記録していることを表示する手段を有する構成にすれば、通信中の放送の記録が正しく行なわれていることを使用者に告知することができるという効果を奏する。
【００６８】
また、放送記録手段が放送を記録できる残り容量を表示する手段を有する構成にすれば、使用者が不揮発性メモリやハードディスク装置を入れ替えるべきタイミングを知ることができ、記録を失敗しないようにできるという効果を奏する。
【発明を実施するための最良の形態】
【００６９】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００７０】
〔第１の実施の形態〕
図１は、本実施の第１の形態における通信端末装置の構成の具体例を示すブロック図である。
【００７１】
図１を参照して、本実施の形態における通信端末装置１は、無線基地局２との間で送信および受信を行なう無線通信部（無線通信手段）３と、放送基地局４からの放送を受信する放送受信部（放送受信手段）５と、放送基地局４から受信した放送を記録する放送記録部（放送記録手段）６と、再生スイッチ７とを備える。放送記録部６は、半導体メモリ８を備える。
【００７２】
無線通信部３は、無線基地局２との通信の有無を表す通信有無信号９を、放送記録部６に出力する。放送受信部５は、放送基地局４から受信した放送信号１０を、放送記録部６に出力する。放送記録部６は、放送受信部５による放送基地局４からの放送の受信中に通信有無信号９により通信の開始を検知した時に、半導体メモリ８への放送信号１０の記録を開始する。ここで、通信の有無を表す通信有無信号９は、無線基地局２からの通信の着信時に、あるいは、無線基地局２からの通信の着信に対して使用者が応答した時に、あるいは、無線基地局２への通信の発信時に、通信が有ることを示すように設定される。
【００７３】
放送記録部６は、再生スイッチ７が押された時に、半導体メモリ８に記録された放送信号を再生する。再生は、通常、記録速度と同じ速度で再生されるが、使用者の設定により記録速度よりも速い速度でも再生される。
【００７４】
また、半導体メモリ８への記録は、再生と同時に行なえるようになっている。これは、半導体メモリ８において、書き込みアドレスと読み出しアドレス、および、書き込みデータと読み出しデータをそれぞれ別に同時処理することで実現される。
【００７５】
半導体メモリ８としては、ダイナミックランダムアクセスメモリ（ＤＲＡＭ）またはスタティックランダムアクセスメモリ（ＳＲＡＭ）であってもよく、フラッシュメモリのような不揮発性メモリであってもよい。また、不揮発性メモリは、通信端末装置１の外部に取り出せるようになっていてもよい。
【００７６】
なお、放送記録部６は、半導体メモリ８を備えるとしたが、半導体メモリ８の代わりにハードディスク装置を備えてもよい。この場合は、放送信号はハードディスク装置に記録される。また、ハードディスク装置は、通信端末装置１の外部に取り出せるようになっていてもよい。
【００７７】
図２は、図１に示す本実施の形態の通信端末装置の一例である携帯電話を画面表示の例とともに示す外観図である。図２の携帯電話１１は、通信端末装置１の例であり、画面表示部１２を有する。放送記録部６が放送を記録している時、放送記録部６が放送を記録していることを表す記録インジケータ１３が画面表示部１２上に表示される。たとえば、記録インジケータ１３は、赤い丸で構成される。
【００７８】
また、画面表示部１２上には、放送を記録できる残り容量を表す残容量インジケータ１４が表示される。たとえば、残容量インジケータ１４は、記録容量を表す枠中に現状の記録量を表す斜線部を表示することにより構成されている。
【００７９】
以上のように、本実施の形態における通信端末装置１は、放送受信部５による放送基地局４からの放送の受信中における無線通信部３による無線基地局２との通信の開始を検知して受信中の放送の内容の記録を開始するので、通信端末装置１の使用者が放送を視聴している時に無線通信部３の着信があった場合、あるいは通信端末装置１の使用者が放送を視聴している時に無線通信部３の発信をする場合、通信開始時以降の受信中の放送内容の記録が自動的に行なわれる。よって、通信端末装置１の使用者は、無線基地局２との通信により放送の視聴が中断された場合でも、通信終了後に、放送記録部６により通信開始時以降に記録された放送を再生することにより、放送を継続して、かつ集中して視聴することができる。通信端末装置が、たとえば地上デジタルテレビ内蔵の携帯電話である場合、放送を視聴している時に携帯電話の着信があったときでも、あるいは放送を視聴している時に携帯電話の発信をするときでも、放送を継続して、かつ集中して視聴することができる。
【００８０】
通信有無信号９が、無線基地局２からの通信の着信時に通信が有ることを示すように設定されている場合、無線基地局２からの通信の着信時点からの放送の内容の記録が行われる。よって、着信により使用者が通信に気を取られた時点からの放送を再生することができる。
【００８１】
通信有無信号９が、無線基地局２からの通信の着信に対して使用者が応答した時に通信が有ることを示すように設定されている場合、無線基地局２からの通信の着信に対する使用者の応答時点からの放送の内容の記録が行われる。よって、放送の記録を開始する時刻を使用者の好みのタイミングに合わせることができる。たとえば、きりのよい放送内容まで視聴した時点で着信に応答すれば、後にきりのよいところからの放送を再生することができる。
【００８２】
通信有無信号９が、無線基地局２への通信の発信時に通信が有ることを示すように設定されている場合、無線基地局２への通信の発信時点からの放送の内容の記録が行われる。よって、放送の記録を開始する時刻を使用者の好みのタイミングに合わせることができる。たとえば、きりのよい放送内容まで視聴した時点で発信すれば、後にきりのよいところからの放送を再生することができる。
【００８３】
また、放送記録部６は、使用者が再生スイッチ７を押して指示した時に、記録した放送を再生するので、使用者は記録した放送を好みのタイミングで再生して視聴することができる。
【００８４】
また、放送記録部６は、記録した放送を記録速度よりも速い速度で再生できるので、使用者は記録した放送のうち、コマーシャル等の不要部分を記録速度よりも速い速度で再生することにより、再生時間を短縮して効率よく放送を視聴することができる。さらには再生する放送と実時間で放送されている放送との時間差を縮め、放送の記録を停止しても放送の視聴を継続することができる。
【００８５】
また、放送記録部６は、放送の記録と再生を同時に行なうことができるので、放送の再生中に放送されている放送も記録することができ、放送の視聴を継続することができる。
【００８６】
また、放送記録部６は、半導体メモリ８を有するので、放送記録部６を軽く小型にでき、通信端末装置１への内蔵に適する。
【００８７】
また、半導体メモリ８が不揮発性メモリである場合、通信端末装置１の電源を切っても放送の記録内容が消えないようにできる。
【００８８】
また、半導体メモリ８が不揮発性メモリであり通信端末装置１の外部に取り出せるようになっている場合、記録した放送を他の通信端末装置などの再生装置で再生することが可能となる。また、一つの不揮発性メモリの容量を越える長時間の放送を記録する場合でも、不揮発性メモリを他の不揮発性メモリに入れ替えることにより、長時間の記録を行なうことができる。
【００８９】
また、放送記録部６がハードディスク装置を有する場合、半導体メモリ７よりも記録容量が大きいので、より長時間の放送の記録が可能となる。
【００９０】
また、ハードディスク装置が通信端末装置１の外部に取り出せるようになっている場合、記録した放送を他の通信端末装置などの再生装置で再生することが可能となる。また、一つのハードディスク装置の容量を越える長時間の放送を記録する場合でも、ハードディスク装置を他のハードディスク装置に入れ替えることにより、長時間の記録を行なうことができる。
【００９１】
また、放送記録部６が放送を記録していることを記録インジケータ１３で表示するので、通信中の放送の記録が正しく行なわれていることを使用者に告知することができる。
【００９２】
また、放送記録部６が放送を記録できる残り容量を残容量インジケータ１４で表示するので、記録できる残り容量を使用者に告知することができる。これにより、使用者が不揮発性メモリやハードディスク装置を入れ替えるべきタイミングを知ることができ、記録を失敗しないようにできる。
【００９３】
なお、特許文献１には、テレビやラジオ等の放送端末で放送を視聴時に携帯電話がかかってきた場合に放送を記録する方法が提案されているが、特許文献１において、携帯電話と放送端末とは別筐体であり、携帯電話（無線通信手段）と放送端末（放送受信手段含む）が一つの筐体（通信端末装置）に備わっていない。そのため、携帯電話において通信が開始したことを赤外線信号等の無線信号で放送端末に伝える必要があり、携帯電話に赤外線信号発信部が必要となり、放送端末に赤外線信号受信部が必要となり、構成が複雑となる。一方、本実施の第１の形態における通信端末装置は、無線通信手段と放送受信手段が一つの通信端末装置に備わっており、通信が開始したことを通信有無信号として一本の信号線で伝えることができるので、構成が簡単となる。
【００９４】
また、特許文献１において、携帯電話と放送端末とは別筐体であり、携帯電話（無線通信手段）と放送端末（放送記録手段含む）が一つの筐体（通信端末装置）に備わっていない。そのため、記録された放送を無線通信手段に伝えることができない。一方、本実施の第１の形態における通信端末装置は、無線通信手段と放送記録手段が一つの通信端末装置に備わっており、記録された放送を無線通信手段に伝えることができるので、記録された放送を無線通信手段を介して送信することができる。
【００９５】
〔第２の実施の形態〕
図３は、本実施の第２の形態における通信端末装置の具体例を示すブロック図である。
【００９６】
図３を参照して、本実施の形態における通信端末装置１５は、無線基地局２との間で送信および受信を行なう無線通信部（無線通信手段）１６と、放送基地局４からの放送を受信する放送受信部（放送受信手段）１７と、放送基地局４から受信した放送を記録する放送記録部（放送記録手段）１８と、時刻を記録する時刻記録部（時刻記録手段）１９と、再生スイッチ２０とを備える。放送記録部１８は、半導体メモリ２１を備える。
【００９７】
無線通信部１６は、無線基地局２との通信の有無を表す通信有無信号２２を、時刻記録部１９に出力する。時刻記録部１９は、時刻信号２３を放送記録部１８に出力する。放送受信部１７は、放送基地局４から受信した放送信号２４を、放送記録部１８に出力する。時刻記録部１９は、放送受信部１７による放送基地局４からの放送の受信中に通信有無信号２２により通信の開始を検知した時に、時刻を記録する。放送記録部１８は、放送信号２４により放送の受信の開始を検知した時に、半導体メモリ２１への放送信号２４の記録を開始する。ここで、通信の有無を表す通信有無信号２２は、無線基地局２からの通信の着信時に、あるいは、無線基地局２からの通信の着信に対して使用者が応答した時に、あるいは、無線基地局２への通信の発信時に、通信が有ることを示すように設定される。
【００９８】
放送記録部１８は、再生スイッチ２０が押された時に、半導体メモリ２１に記録された放送のうち、時刻記録部１９で記録した時刻に記録した放送から再生を開始する。あるいは、時刻記録部１９で記録した時刻から所定時間遡った時刻に記録した放送から再生を開始する。この場合、所定時間は、使用者が設定できるようになっている。たとえば、１０秒間、３０秒間、あるいは１分間に設定できるようになっている。
【００９９】
以上のように、本実施の形態における通信端末装置１５は、放送受信部１７による放送基地局４からの放送の受信の開始を検知して、受信中の放送の内容の記録を開始するので、放送受信開始時以降の受信中の放送内容の記録が自動的に行なわれる。また、時刻記録部１９は、放送受信部１７による放送基地局４からの放送の受信中における無線通信部１６による無線基地局２との通信の開始を検知して、通信を開始した時刻を記録するので、通信開始時刻の記録が自動的に行われる。よって、通信端末装置１５の使用者は、無線基地局２との通信により放送の視聴が中断された場合でも、通信終了後に、放送記録部１８により放送受信開始時以降に記録された放送の中から所望の放送を通信開始時刻に基づいて選択して再生することにより、放送を継続して、かつ集中して視聴することができる。通信端末装置が、たとえば地上デジタルテレビ内蔵の携帯電話である場合、放送を視聴している時に携帯電話の着信があったときでも、あるいは放送を視聴している時に携帯電話の発信をするときでも、放送を継続して、かつ集中して視聴することができる。
【０１００】
通信有無信号２２が、無線基地局２からの通信の着信時に通信が有ることを示すように設定されている場合、無線基地局２からの通信の着信時点の時刻の記録が行われる。よって、着信により使用者が通信に気を取られた時点からの放送を再生することができる。
【０１０１】
通信有無信号２２が、無線基地局２からの通信の着信に対して使用者が応答した時に通信が有ることを示すように設定されている場合、無線基地局２からの通信の着信に対する使用者の応答時点の時刻の記録が行われる。よって、記録する時刻を使用者の好みのタイミングに合わせることができる。たとえば、きりのよい放送内容まで視聴した時点で着信に応答すれば、後にきりのよいところからの放送を再生することができる。
【０１０２】
通信有無信号２２が、無線基地局２への通信の発信時に通信が有ることを示すように設定されている場合、無線基地局２への通信の発信時点の時刻の記録が行われる。よって、記録する時刻を使用者の好みのタイミングに合わせることができる。たとえば、きりのよい放送内容まで視聴した時点で発信すれば、後にきりのよいところからの放送を再生することができる。
【０１０３】
また、放送記録部１８は、使用者が再生スイッチ２０を押して指示した時に、記録した放送を再生するので、使用者は記録した放送を好みのタイミングで再生して視聴することができる。
【０１０４】
また、放送記録部１８が、記録した放送のうち、時刻記録部１９で記録した時刻に記録した放送から再生を開始するようになっている場合、放送記録部１８により放送受信開始時以降に記録された放送の中から通信開始時刻以降に記録された放送を選択して再生することができる。よって、通信端末装置１５の使用者は、無線基地局２との通信により視聴が中断された放送を、通信終了後に継続して視聴しやすくなる。
【０１０５】
また、放送記録部１８が、記録した放送のうち、時刻記録部１９で記録した時刻から所定時間遡った時刻に記録した放送から再生を開始するようになっている場合、放送記録部１８により放送受信開始時以降に記録された放送の中から通信開始時刻から遡った時刻以降に記録された放送を選択して再生することができる。よって、通信端末装置１５の使用者は、無線基地局２との通信により視聴が中断された放送を、通信開始時刻以前の時刻にまで遡って再生することにより、放送の内容の流れを再度確認することができ、放送を集中して視聴することができることができる。
【０１０６】
また、放送記録部１８が、使用者が所定時間を設定できるようになっている場合、使用者は記録された放送のうち好みの時点から再生を行なうことができ、より放送の内容の流れを確認しやすくなる。
【０１０７】
なお、特許文献１には、テレビやラジオ等の放送端末で放送を視聴時に携帯電話がかかってきた場合に放送を記録する方法が提案されているが、特許文献１において、携帯電話と放送端末とは別筐体であり、携帯電話（無線通信手段）と放送端末（放送受信手段含む）が一つの筐体（通信端末装置）に備わっていない。そのため、携帯電話において通信が開始したことを赤外線信号等の無線信号で放送端末に伝える必要があり、携帯電話に赤外線信号発信部が必要となり、放送端末に赤外線信号受信部が必要となり、構成が複雑となる。一方、本実施の第２の形態における通信端末装置は、無線通信手段と放送受信手段が一つの通信端末装置に備わっており、通信が開始したことを通信有無信号として一本の信号線で伝えることができるので、構成が簡単となる。
【０１０８】
また、特許文献１において、携帯電話と放送端末とは別筐体であり、携帯電話（無線通信手段）と放送端末（放送記録手段含む）が一つの筐体（通信端末装置）に備わっていない。そのため、記録された放送を無線通信手段に伝えることができない。一方、本実施の第２の形態における通信端末装置は、無線通信手段と放送記録手段が一つの通信端末装置に備わっており、記録された放送を無線通信手段に伝えることができるので、記録された放送を無線通信手段を介して送信することができる。
【０１０９】
また、特許文献１の構成では通信が開始した後に放送が記録されるのに対し、本実施の第２の形態では、通信の開始以前の放送も記憶されるため、通信の開始以前の放送を再生して視聴することができる。
【０１１０】
〔第３の実施の形態〕
図４は、本実施の第３の形態における通信端末装置の具体例を示すブロック図である。
【０１１１】
図４を参照して、本実施の形態における通信端末装置２５は、無線基地局２との間で送信および受信を行なう無線通信部（無線通信手段）２６と、放送基地局４からの放送を受信する放送受信部（放送受信手段）２７と、放送基地局４から受信した放送を記録する放送記録部（放送記録手段）２８と、時刻を記録する時刻記録部（時刻記録手段）２９と、記録スイッチ３０と、再生スイッチ３１とを備える。放送記録部２８は、半導体メモリ３２を備える。
【０１１２】
無線通信部２６は、無線基地局２との通信の有無を表す通信有無信号３３を、時刻記録部２９に出力する。時刻記録部２９は、時刻信号３４を放送記録部２８に出力する。放送受信部２７は、放送基地局４から受信した放送信号３５を、放送記録部２８に出力する。時刻記録部２９は、放送受信部２７による放送基地局４からの放送の受信中に通信有無信号３３により通信の開始を検知した時に、時刻を記録する。放送記録部２８は、記録スイッチ３０が押された時に、半導体メモリ３２への放送信号３５の記録を開始する。ここで、通信の有無を表す通信有無信号３３は、無線基地局２からの通信の着信時に、あるいは、無線基地局２からの通信の着信に対して使用者が応答した時に、あるいは、無線基地局２への通信の発信時に、通信が有ることを示すように設定される。
【０１１３】
放送記録部２８は、再生スイッチ３１が押された時に、半導体メモリ３２に記録された放送のうち、時刻記録部２９で記録した時刻に記録した放送から再生を開始する。あるいは、時刻記録部２９で記録した時刻から所定時間遡った時刻に記録した放送から再生を開始する。この場合、所定時間は、使用者が設定できるようになっている。たとえば、１０秒間、３０秒間、あるいは１分間に設定できるようになっている。
【０１１４】
以上のように、本実施の形態における通信端末装置２５は、放送受信部２７による放送基地局４からの放送の受信中における通信端末装置２５の使用者の指示に応じて、受信中の放送の内容の記録を開始するので、使用者の指示時以降の受信中の放送内容の記録が行なわれる。また、時刻記録部２９は、放送受信部２７による放送基地局４からの放送の受信中における無線通信部２６による無線基地局２との通信の開始を検知して、通信を開始した時刻を記録するので、通信開始時刻の記録が自動的に行われる。よって、通信端末装置２５の使用者は、無線基地局２との通信により放送の視聴が中断された場合でも、通信終了後に、放送記録部２８により使用者の指示時以降に記録された放送の中から所望の放送を通信開始時刻に基づいて選択して再生することにより、放送を継続して、かつ集中して視聴することができる。通信端末装置が、たとえば地上デジタルテレビ内蔵の携帯電話である場合、放送を視聴している時に携帯電話の着信があったときでも、あるいは放送を視聴している時に携帯電話の発信をするときでも、放送を継続して、かつ集中して視聴することができる。
【０１１５】
通信有無信号３３が、無線基地局２からの通信の着信時に通信が有ることを示すように設定されている場合、無線基地局２からの通信の着信時点の時刻の記録が行われる。よって、着信により使用者が通信に気を取られた時点からの放送を再生することができる。
【０１１６】
通信有無信号３３が、無線基地局２からの通信の着信に対して使用者が応答した時に通信が有ることを示すように設定されている場合、無線基地局２からの通信の着信に対する使用者の応答時点の時刻の記録が行われる。よって、記録する時刻を使用者の好みのタイミングに合わせることができる。たとえば、きりのよい放送内容まで視聴した時点で着信に応答すれば、後にきりのよいところからの放送を再生することができる。
【０１１７】
通信有無信号３３が、無線基地局２への通信の発信時に通信が有ることを示すように設定されている場合、無線基地局２への通信の発信時点の時刻の記録が行われる。よって、記録する時刻を使用者の好みのタイミングに合わせることができる。たとえば、きりのよい放送内容まで視聴した時点で発信すれば、後にきりのよいところからの放送を再生することができる。
【０１１８】
また、放送記録部２８は、使用者が再生スイッチ３１を押して指示した時に、記録した放送を再生するので、使用者は記録した放送を好みのタイミングで再生して視聴することができる。
【０１１９】
また、放送記録部２８が、記録した放送のうち、時刻記録部２９で記録した時刻に記録した放送から再生を開始するようになっている場合、放送記録部２８により使用者の指示時以降に記録された放送の中から通信開始時刻以降に記録された放送を選択して再生することができる。よって、通信端末装置２５の使用者は、無線基地局２との通信により視聴が中断された放送を、通信終了後に継続して視聴しやすくなる。
【０１２０】
また、放送記録部２８が、記録した放送のうち、時刻記録部２９で記録した時刻から所定時間遡った時刻に記録した放送から再生を開始するようになっている場合、放送記録部２８により使用者の指示時以降に記録された放送の中から通信開始時刻から遡った時刻以降に記録された放送を選択して再生することができる。よって、通信端末装置２５の使用者は、無線基地局２との通信により視聴が中断された放送を、通信開始時刻以前の時刻にまで遡って再生することにより、放送の内容の流れを再度確認することができ、放送を集中して視聴することができる。
【０１２１】
また、放送記録部２８が、使用者が所定時間を設定できるようになっている場合、使用者は記録された放送のうち好みの時点から再生を行なうことができ、より放送の内容の流れを確認しやすくなる。
【０１２２】
なお、特許文献１には、テレビやラジオ等の放送端末で放送を視聴時に携帯電話がかかってきた場合に放送を記録する方法が提案されているが、特許文献１において、携帯電話と放送端末とは別筐体であり、携帯電話（無線通信手段）と放送端末（放送受信手段含む）が一つの筐体（通信端末装置）に備わっていない。そのため、携帯電話において通信が開始したことを赤外線信号等の無線信号で放送端末に伝える必要があり、携帯電話に赤外線信号発信部が必要となり、放送端末に赤外線信号受信部が必要となり、構成が複雑となる。一方、本実施の第３の形態における通信端末装置は、無線通信手段と放送受信手段が一つの通信端末装置に備わっており、通信が開始したことを通信有無信号として一本の信号線で伝えることができるので、構成が簡単となる。
【０１２３】
また、特許文献１において、携帯電話と放送端末とは別筐体であり、携帯電話（無線通信手段）と放送端末（放送記録手段含む）が一つの筐体（通信端末装置）に備わっていない。そのため、記録された放送を無線通信手段に伝えることができない。一方、本実施の第３の形態における通信端末装置は、無線通信手段と放送記録手段が一つの通信端末装置に備わっており、記録された放送を無線通信手段に伝えることができるので、記録された放送を無線通信手段を介して送信することができる。
【０１２４】
また、特許文献１の構成では通信が開始した後に放送が記録されるのに対し、本実施の第３の形態では、通信の開始以前の放送も記憶されるため、通信の開始以前の放送を再生して視聴することができる。
【０１２５】
なお、放送の記録は、映像または音声のうちの一方だけでもよく、両方でもよい。
【０１２６】
また、上記実施の形態では、地上デジタルテレビ内蔵の携帯電話を例に挙げたが、地上デジタルラジオ内臓の携帯電話の場合でも同様の効果が得られる。
【図面の簡単な説明】
【０１２７】
【図１】本実施の第１の形態における通信端末装置の構成の具体例を示すブロック図である。
【図２】図１に示す本実施の形態の通信端末装置の一例である携帯電話を画面表示の例とともに示す外観図である。
【図３】本実施の第２の形態における通信端末装置の構成の具体例を示すブロック図である。
【図４】本実施の第３の形態における通信端末装置の構成の具体例を示すブロック図である。
【符号の説明】
【０１２８】
１、１５、２５  通信端末装置
２  無線基地局
３、１６、２６  無線通信部（無線通信手段）
４  放送基地局
５、１７、２７  放送受信部（放送受信手段）
６、１８、２８  放送記録部（放送記録手段）
７、２０、３１  再生スイッチ
８、２１、３２  半導体メモリ
９、２２、３３  通信有無信号
１０、２４、３５  放送信号
１９、２９  時刻記録部（時刻記録手段）
１１  携帯電話（通信端末装置）
１２  画面表示部
１３  記録インジケータ
１４  残容量インジケータ
２３、３４  時刻信号
３０  記録スイッチ。
【図１】
2005086526.tif 000003
【図２】
2005086526.tif 000004
【図３】
2005086526.tif 000005
【図４】
2005086526.tif 000006